(57)【特許請求の範囲】
【請求項１】
前面に開口部を備えた筐体内の遮断器収容室に引出可能に収容され、前記遮断器収容室に突出する固定接触端子に着脱可能に接続される可動接触端子を備えた引出型遮断器を有するスイッチギヤに用いられる絶縁バリアであって、
前記開口部に着脱可能に取り付けられる絶縁性パネルと、この絶縁性パネルの取付状態を固定する固定手段とを備え、
前記絶縁性パネルは、その上縁部に、前記開口部の枠体の上縁部に対して、又は、前記開口部の上部において該開口部の両側縁部に着脱可能に固定された掛止用アーム部材に対して掛止可能な掛止具を備え、
前記固定手段は、前記開口部の前記枠体の上縁部、又は、前記掛止用アーム部材よりも下方において前記開口部の両側縁部に着脱可能に固定される固定用アーム部材に対して、前記絶縁性パネルを前面側に配置して錠前による施錠にて固定するものであることを特徴とするスイッチギヤ用絶縁バリア。
【請求項２】
前記固定用アーム部材に対する前記絶縁性パネルの錠前による施錠は、前記固定用アーム部材に径方向に突出するリング部材を設け、このリング部材を前記絶縁性パネルに形成された通孔を挿通させて該絶縁性パネルの前面側から前記錠前を前記リング部材に取り付けて行なうものであることを特徴とする請求項１記載のスイッチギヤ用絶縁バリア。
【請求項３】
前記掛止用アーム部材および前記固定用アーム部材は、伸縮可能な突っ張り棒で構成されることを特徴とする請求項１又は２に記載のスイッチギヤ用絶縁バリア。
【請求項４】
前記固定用アーム部材には、前記開口部の一部を閉塞する所定巾の一体型パネルが予め固定され、
前記一体型パネルは、その上縁部に、前記枠体の上縁部、又は、前記掛止用アーム部材に対して掛止可能な掛止具を備え、
前記絶縁性パネルは、前記開口部の前記一体型パネルで閉塞されていない部分を閉塞するものであることを特徴とする請求項１乃至３のいずれかに記載のスイッチギヤ用絶縁バリア。
【請求項５】
前記絶縁性パネルの下端部には、さらに下方へ向けてスライド可能な垂下板がさらに設けられていることを特徴とする請求項１乃至４のいずれかに記載のスイッチギヤ用絶縁バリア。
【請求項６】
前記一体型パネルの下端部には、さらに下方へ向けてスライド可能な垂下板がさらに設けられていることを特徴とする請求項４記載のスイッチギヤ用絶縁バリア。
【請求項７】
前記絶縁性パネルの上部には、前記遮断器収容室側へ回動する天板が設けられていることを特徴とする請求項１乃至６のいずれかに記載のスイッチギヤ用絶縁バリア。
【発明の詳細な説明】
【技術分野】
【０００１】
本発明は、引出型遮断器を備えたスイッチギヤにおいて、筺体内の遮断器収容室に収容された引出型遮断器を引き出して点検等を行なう際に、遮断器収容室の開口部に取り付け可能な絶縁バリアに関する。
【背景技術】
【０００２】
発電所等における各種機器の電源系統を入り切りするための装置として、引出型遮断器を有するスイッチギヤが用いられている。このスイッチギヤは、可動接触端子を有する引出型遮断器を筺体内の遮断器収容室に収容し、この遮断器収容室に突出する主回路の固定接触端子に引出型遮断器の可動接触端子を接続することで電源系統を入状態とし、また、保守・点検を行なう場合には、筺体の前面の扉を開けて引出型遮断器を遮断器収容室から引き出し、可動接触端子と固定接触端子とを切り離すことで電源系統を切状態としている。
【０００３】
このようなスイッチギヤにおいては、引出型遮断器がグランドレベルより高い位置に収容されている場合には、引出型遮断器を遮断器収容室から引き出す祭に、扉を開いて引出架台を遮断器収容室の開口部前方下部に設置し、この架台上に引出型遮断器を引き出した状態にして作業を行なうようにしている。この際、扉は開いた状態のままであり（引出架台を設置しているため、扉を閉じることができない状態であり）、作業者が引出型遮断器の裏側に回りこんで作業を行なおうとすると、固定接触端子は遮断器収容室内に露出された状態で突出しているので、作業者が固定接触端子に接触して感電する等の事故が発生する虞があった。
【０００４】
このため、従来においては、絶縁材料からなる遮蔽板を台車上に立設させ、引出型遮断器を遮断器収容室の外側に引き出した祭に、この台車を遮断器収容室に収容して遮蔽板によって固定接触端子の前面を覆い、作業者が誤って触れないようにすること等が考えられている。
【先行技術文献】
【特許文献】
【０００５】
【特許文献１】特開２００９−１７１７７４号公報
【発明の概要】
【発明が解決しようとする課題】
【０００６】
しかしながら、上述の遮蔽版を備えた台車を遮断器収容室に収容する上述した構成においては、台車を遮断器収容室に収容できれば十分な効果が得られるが、引出型遮断器を引出架台上に引き出した状態で作業を行なう必要があるため、引き出した引出型遮断器と遮断器収容室の開口部との間隔が十分に確保されていない場合には、台車を遮断器収容室に挿入しにくく、遮蔽板の設置作業が行いにくいという不都合がある。
また、遮断器収容室に遮蔽板を備えた台車を挿入する祭に、遮蔽板が遮断器の可動接触端子に接触して、可動接触端子を破損する等の虞もあった。
【０００７】
さらに、上述した遮蔽板を備えた台車は、引出型遮断器と筺体との間から遮断器収容室に挿入する構成であるため、作業者が遮蔽板を備えた台車を  意図的に取り外すことが可能となり、充電部に近づくことが可能になるものであった。
【０００８】
本発明は、係る事情に鑑みてなされたものであり、引き出した遮断器が筺体の近傍にある場合においても、筺体の開口部を容易かつ確実に閉塞できるようにすると共に、意図的に外すことができないスイッチギヤ用絶縁バリアを提供することを主たる課題としている。また、充電部への接近を確実に防ぎつつ、様々なスイッチギヤの遮断器収容室の開口部に取り付けることが可能な絶縁バリアを提供することをも課題としている。
【課題を解決するための手段】
【０００９】
上記課題を達成するために、本発明に係るスイッチギヤ用絶縁バリアは、前面に開口部を備えた筐体内の遮断器収容室に引出可能に収容され、前記遮断器収容室に突出する固定接触端子に着脱可能に接続される可動接触端子を備えた引出型遮断器を有するスイッチギヤに用いられる絶縁バリアであって、前記開口部に着脱可能に取り付けられる絶縁性パネルと、この絶縁性パネルの取付状態を固定する固定手段とを備え、前記絶縁性パネルは、その上縁部に、前記開口部の枠体の上縁部に対して、又は、前記開口部の上部において該開口部の両側縁部に着脱可能に固定された掛止用アーム部材に対して掛止可能な掛止具を備え、前記固定手段は、前記開口部の前記枠体の上縁部、又は、前記掛止用アーム部材よりも下方において前記開口部の両側縁部に着脱可能に固定される固定用アーム部材に対して、前記絶縁性パネルを前面側に配置して錠前による施錠にて固定するものであることを特徴としている。
【００１０】
したがって、筺体の遮断器収容室から引出型遮断器が引き出された状態においては、開口部は開放された状態であり、引出型遮断器の背後に遮断器収容室に突出された固定接触端子が露出した状態となるが、遮断器収容室の開口部に枠体がある場合には、開口部の中間部（又は下部）に両側縁部を渡すように固定用アーム部材を架設し、また、筐体の開口部に枠体がない場合には、開口部の上部と中間部（又は下部）に、両側縁部を渡すように掛止用アーム部材と固定用アーム部材を架設し、その上で、絶縁性パネルを、開口部の枠体上縁部、又は、開口部の上部に固定された掛止用アーム部材に掛止し、この絶縁性パネルの取付状態を固定用アーム部材に対して錠前による施錠にて固定するようにしたので、引出型遮断器と開口部との間にスペースを大きく確保できない場合でも、開口部を閉塞することが可能となり、また、錠前の鍵を管理するものと作業者とを異ならせることで、作業者が意図的に絶縁性パネルを取り除こうとしても、錠前が開錠されない限り、絶縁性パネルを取り外すことができないものとなる。
よって、作業者が引出型遮断器の背後に回りこんだとしても、筺体内に露出している固定接触端子は、絶縁性パネルを境に作業者と反対側に配置されることになるので、作業者が誤って固定接触端子に接触することはなくなる。
【００１１】
ここで、固定用アーム部材に対する絶縁性パネルの錠前による施錠は、固定用アーム部材に径方向に突出するリング部材を設け、このリング部材を絶縁性パネルに形成された通孔を挿通させて該絶縁性パネルの前面側から錠前をリング部材に取り付けて固定する構成にするとよい。
【００１２】
また、前記掛止用アーム部材および前記固定用アーム部材は、例えば、伸縮可能な突っ張り棒で構成するとよい。このような構成によれば、筺体の開口部の巾にばらつきがあっても、アーム部材を架設することが可能となり、絶縁性パネルを取り付けることが可能となる。
【００１３】
なお、遮断器収容室の開口部の巾にばらつきがある場合には、絶縁性パネルが所定幅であると、開口部を絶縁性パネルでは閉塞しきれず、絶縁性パネルの脇に、隙間が形成されてしまう不都合がある。このため、このような開口部の幅が絶縁性パネルの幅より大きく、絶縁性パネルでは閉塞しきれない場合には、固定用アーム部材に、前記開口部の一部を閉塞する絶縁性の一体型パネルを予め固定しておき、この一体型パネルを、その上縁部に、前記掛止用アーム部材に対して掛止可能な掛止具を備えて構成し、前記絶縁性パネルによって、前記開口部の前記一体型パネルで閉塞されていない部分を閉塞するようにしてもよい。
【００１４】
また、絶縁性パネルや一体型パネルを取り付けた状態において、パネルの下方に隙間が形成されるような場合に備えて、それぞれのパネルの下端部に、さらに下方へ向けてスライド可能な垂下板をさらに設けるようにしてもよい。
さらに、遮断器収容室の開口部上部が開放されている場合には、この開放部分を塞ぐために、絶縁性パネルの上部に遮断器収容室側へ回動する天板を設けるようにしてもよい。
【発明の効果】
【００１５】
以上述べたように、本発明によれば、引出型遮断器が収容される筺体の遮断器収容室の開口部に設けられる絶縁バリアを、上縁部に掛止具が設けられた絶縁性パネルと、この絶縁性パネルの取付状態を固定する固定手段とを具備して構成し、絶縁性パネルを、開口部の枠体上縁部、又は、開口部の上部に水平方向に着脱可能に固定された掛止用アーム部材に掛止し、固定手段を、開口部の中間部または下部（開口部の枠体の上縁部、又は、掛止用アーム部材が取り付けられる部位よりも下方）において開口部の両側縁部に着脱可能に固定される固定用アーム部材に対して、絶縁性パネルを前面側に配置して錠前による施錠にて固定するようにしたので、引出型遮断器と開口部との間の隙間が狭くても、絶縁性パネルを開口部に取り付けることが可能となり、また、開口部に取り付けられた絶縁性パネルは開錠しない限り取り外すことができないので、作業者が充電部（固定接触端子）に接近する虞がなくなり、誤認による感電災害を回避することが可能になると共に、絶縁性パネルの意図的な取り外しが困難となる。
【００１６】
また、絶縁性パネルの掛止具を開口部の枠体上縁部、又は、開口部の上端近傍に固定された掛止用アーム部材に掛止させて取り付けるようにしたので、絶縁バリアの取り付けに要する時間を短縮化することが可能となる。
【図面の簡単な説明】
【００１７】
【図１】図１は、スイッチギヤを説明する図であり、（ａ）はその正面図、（ｂ）は、その側面図である。
【図２】図２は、本発明に係るスイッチギヤ用絶縁バリアの第１の構成例を示す正面図である。
【図３】図３は、本発明に係る第１の構成例のスイッチギヤ用絶縁バリアの絶縁性パネルを示す図であり、（ａ）はその正面図、（ｂ）はその側面図、（ｃ）は掛止具が設けられた部分を示す拡大斜視図、（ｄ）は固定用アーム部材に絶縁性パネルを錠前による施錠にて固定する状態を示す図である。
【図４】図４は第１の構成例に係る絶縁性パネルを取り付ける前の状態を示す斜視図である。
【図５】図５は、第１の構成例に係る絶縁性パネルの変形例を説明する図である。
【図６】図６は、第１の構成例に係る絶縁性パネルの他の変形例を示す図である。
【図７】図７は第１の構成例に係る図６で示す絶縁性パネルを取り付ける前の状態を示す斜視図である。
【図８】図８は、本発明に係るスイッチギヤ用絶縁バリアで用いられる掛止用アーム部材と固定用アーム部材を示す図であり、（ａ）は掛止用アーム部材を、（ｂ）は固定用アーム部材を示す。
【図９】図９は、図６で示す絶縁性パネルの変形例を示す図である。
【図１０】図１０は、スイッチギヤ用絶縁バリアの第２の構成例を示す斜視図である。
【図１１】図１１は、開口部の横幅が広い筺体に取り付ける場合の使用例を示す図である。
【発明を実施するための最良の形態】
【００１８】
以下、本発明に係るスイッチギヤ用絶縁バリアの実施形態について、図面により説明する。
【実施例１】
【００１９】
図１において、スイッチギヤ１は、電路の開閉を行うスイッチギヤ本体２と、スイッチギヤ本体２の下方に配されて該スイッチギヤ本体２を支持するチャンネルベース３とを具備する。
【００２０】
スイッチギヤ本体２は、筐体４の内部に、隔壁５により、引出型遮断器１１を収容する遮断器収容室６、変圧器７や図示しない電力ケーブルを収容するケーブル室８、断路器を収容する図示しない断路器室等に区画されており、遮断器収容室６の前面には、この遮断器収容室６の開口部９を開閉する扉１０が設けられている。
【００２１】
引出型遮断器１１は、遮断器本体１２が台車１３上に固定され、チャンネルベース３上に設けられた引き出しレール３ａ上を直線移動可能となっている。
【００２２】
遮断器収容室６の後面側には、配電盤（主回路）に接続された固定接触端子１５が遮断器収容室６に略水平方向に突設されている。これに対して、遮断器本体１２の後面側、すなわち、固定接触端子１５と対峙する面には、各固定接触端子１５に対応した数の可動接触端子１６が、略水平方向に突設されている。そして、引出型遮断器１１は、遮断器収容室６に収容されることで可動接触端子１６が固定接触端子１５と接続し、電源系統を接続状態とする。また、保守・点検を行うために、引出型遮断器１１を遮断器収容室６から引き出して可動接触端子１６と固定接触端子１５とを切り離すことで、充電中の電源系統を開放状態とする。
【００２３】
この可動接触端子１６を固定接触端子１５から切り離すために引出型遮断器１１を遮断器収容室６の開口部９から引き出す際には、遮断器収容室６の前面の扉１０を開放し、引出架台１８を筐体４の開口部９の前方下部に設置し、この引出架台１８上に引出型遮断器１１を引き出す。
【００２４】
このため、扉１０は、引出架台１８によって閉じることができない状態となり、作業者が引出型遮断器１１の裏側（引出型遮断器１１と開口部９との間）に回りこんで作業を行なおうとすると、固定接触端子１５は遮断器収容室内に突出して露出しているので、作業者が固定接触端子１５に接触して感電する等の事故が発生する虞がある。そこで、本発明では、引出型遮断器１１を遮断器収容室６から引き出した際に、以下述べる絶縁バリア２０を遮断器収容室６の開口部９に取り付けて、作業者が固定接触端子１５に接近することを防ぐようにしている。
【００２５】
図２において、スイッチギヤ用の絶縁バリア２０を遮断器収容室６の開口部９に取り付けた状態が示されている。この絶縁バリア２０は、開口部を閉塞するように着脱可能に取り付けられる絶縁性パネル２１と、この絶縁性パネルの取付状態を固定する固定手段２２とを備えている。
【００２６】
絶縁性パネル２１は、例えば、ポリカーボネートなどの硬質透明の樹脂板で形成され、開口部９の大きさに合わせた矩形状に形成されている（横幅が開口部９の両側縁部を渡す寸法に形成され、高さが開口部９の枠体２３の上縁部２３ａから遮断器収容室６の下面に設けられた引き出しレール３ａの直近にかけた寸法に形成されている）。この絶縁性パネルの上縁部には、図３，４にも示されるように、開口部９の枠体２３の上縁部２３ａに掛止可能な掛止具２４が設けられている。
【００２７】
この例では、開口部９に設けられた枠体２３は、その前端部分が外側に屈曲されたフランジ状に形成され、扉１０は、このフランジ部を含めて枠体２３を覆うように閉じるようになっている。掛止具２４は、上端部が折り返されたフック部２４ａを備えた金具で構成され、この例では、絶縁性パネルの後面に配置され、絶縁性パネル２１の前面に設けられたあて金具２５とで絶縁性パネル２１を挟み込んでボルト及びナットにより絶縁性パネルに固定されているもので、絶縁性パネルの上端部に等間隔に３箇所に設けられている。それぞれの掛止具２４のフック部２４ａを開口部９に設けられた枠体２３の上縁部２３ａに設けられたフランジ部に掛止させることで、絶縁性パネル２１を開口部９の枠体２３に吊り下げることができるようになっている。なお、２６は、掛止具２４を枠体２３に取り付けた際にガタ付きを少なくするためのスポンジ等で形成されたパッキン部材である。
【００２８】
また、開口部９の枠体２３の上縁部２３ａよりも下方の位置、この例では、開口部９の下端から２０〜３０ｃｍの位置に、水平方向に開口部９の両側縁部に渡すように設けられた固定用アーム部材２７が着脱可能に固定されている。
【００２９】
この固定用アーム部材２７は、大径筒状体２７ａの内側に小径筒状体２７ｂを摺動可能に挿入して長さ調整可能に構成された伸縮可能な突っ張り棒で構成されているもので、両端部のそれぞれに開口部の側縁部を挟み込むように延設された一対の係止片を備えた押圧部２７ｃ，２７ｄを備え、小径筒状体２７ｂの突出量を調節して開口部９の両側縁部のそれぞれを対応する端部の一対の係止片間に挿入して押圧部２７ｃ，２７ｄを両側縁部に押し付けることで、開口部９の両側縁部間に渡すように固定されている。
【００３０】
この固定用アーム部材２７の中間部には、径方向に突出する錠前取付部材２８が取り付けられている。この錠前取付部材２８は、具体的には、金属で構成されたリング部材２８ａが一体に固定されているプレート２８ｂを固定用アーム部材２７の大径筒状体２７ａの側面にあてがい、このプレート２８ｂに固定用アーム部材２７に回し付けたＵ字金具２８ｃを挿通させてナット留めすることによりリング部材２８ａを固定用アーム部材２７に不動に取り付けている。
【００３１】
絶縁性パネル２１の前記錠前取付部材２８（リング部材２８ａ）と対峙する位置には、リング部材２８ａを挿通可能な通孔２９が形成されている。この通孔２９は、リング部材２８ａのみを挿通させることができる程度の大きさに矩形状に形成されているもので、この例では、固定用アーム部材２７に取りつけられたリング部材２８ａの数に合わせて１つだけ設けられている。
なお、リング部材２８ａ（錠前取付部材２８）やこれを挿通する通孔２９は、複数設けられるものであってもよい。
【００３２】
そして、固定用アーム部材２７の前面に絶縁性パネル２１を配置した状態において、リング部材２８ａを絶縁性パネル２１に形成された通孔２９に挿通させて該絶縁性パネル２１の前面側へ突出させ、この通孔２９から突出したリング部材２８ａに錠前（南京錠）３０を取り付けて施錠するようにしている。
尚、２１ａは、動作試験の際に引き出した遮断器とスイッチギヤ本体を接続するための配線を通すための切り欠きであり、スイッチギヤの種類によって配線の取り出し位置が異なるため、異なる２箇所に設けられている。
【００３３】
以上の構成において、図１で示す絶縁バリアの取り付け状態を形成するには、先ず、固定用アーム部材２７を、開口部９の中間部または下部において両側縁部を渡すように固定し、リング部材２８ａを前方へ向けた状態とする。
【００３４】
その後、掛止具２４が取り付けられた絶縁性パネル２１を開口部９の前面に近づけ、掛止具２４を枠体２３の上縁部２３ａに掛止させ、開口部９の前面全体を絶縁性パネル２１で覆う（閉塞する）。
そして、リング部材２８ａを絶縁性パネル２１の通孔２９に挿通させ、前方へ突出したリング部材２８ａに錠前３０を取り付けて施錠すれば、絶縁性パネル２１の取り付け状態が固定される。
【００３５】
したがって、開口部９の前面には、絶縁性パネル２１を横から差し入れて施錠する隙間があれば、開口部９の閉塞状態を形成することができるので、引出型遮断器１１と開口部９との間の空間が狭い場合でも、絶縁性パネル２１の設置作業を容易に行なうことが可能となる。
【００３６】
また、絶縁性パネル２１を固定用アーム部材２７に錠前３０による施錠によって固定するようにしているので、作業者が絶縁性パネル２１を意図的に取り外そうとしても、錠前３０を開錠しない限り外すことができないので、作業者が充電部（固定接触端子１５）に接触して感電する虞を回避することが可能となる。したがって、錠前３０の鍵を管理する者と作業者とを分けておくことで、感電事故を確実に回避することが可能となる。
【００３７】
図５に、絶縁性パネル２１の変形例が示されている。以下、前記構成例と異なる点について説明すると、図５で示す絶縁性パネル２１には、図３で示す絶縁性パネル２１の下端部に、さらに下方へ移動させることが可能な垂下板３１が設けられている。
【００３８】
この垂下板３１は、絶縁性パネル２１と同様に、ポリカーボネートなどの硬質透明の樹脂板で形成され、横幅を絶縁性パネル２１と同一とし、縦方向の寸法を適宜の所定長に形成している。両側縁部には、縦方向にスリット３２が形成され、絶縁性パネル２１には、このスリット３２に相対的に移動可能に挿通して該絶縁性パネル２１の所定位置に螺合される調節ネジ３３が設けられ、この調節ネジ３３を緩めることで垂下板３１を上下動させることができ、調節ネジ３３を締め付けることで垂下板３１をスリット３２の長さの範囲内で所望の位置に固定することができるようになっている。
【００３９】
このような構成においては、開口部９に取り付けられた絶縁性パネル２１の下端と開口部９の下端との間に隙間が形成され、この隙間を閉塞したい要請がある場合に、垂下板３１を開口部９の下端まで下げて絶縁性パネル２１に固定することで対応することができ、スイッチギヤの種類毎に開口部９の上下幅が異なるような場合でも、開口部９を隙間なく閉塞することが可能となる。
【００４０】
図６及び図７において、絶縁バリア２０の他の変形例が示されている。この構成例においては、開口部９の上部に枠体はなく、また、遮断器収容室６の開口部上方が開放されている筐体４に絶縁バリア２０を取り付けるもので、絶縁性パネル２１の上縁部には、開口部９の上部に対して水平方向に開口部９の両側縁部に着脱可能に固定された掛止用アーム部材３５に掛止可能な掛止具３６を備えている。
【００４１】
掛止用アーム部材３５も、大径筒状体３５ａの内側に小径筒状体３５ｂを摺動可能に挿入して長さ調整可能に構成された伸縮可能な突っ張り棒で構成されているもので、両端部のそれぞれに開口部の側縁部を挟み込むように延設された一対の係止片を備えた押圧部３５ｃ，３５ｄを備え、小径筒状体３５ｂの突出量を調節して開口部９の両側縁部のそれぞれを対応する端部の一対の係止片間に挿入して押圧部３５ｃ，３５ｄを両側縁部に押し付けることで、開口部９の両側縁部間に渡すように固定されている。
【００４２】
掛止具３６は、この例では、掛止用アーム部材３５の側面に面接触して係止されるように、上端の折り返し部分が掛止用アーム部材３５のアーム径より幾分大きいＲ形状に形成されている。なお、前記掛止用アーム部材３５は、掛止具３６が掛止された状態において、絶縁性パネル２１の荷重が過剰に掛からないようにするために、絶縁性パネル２１の下端が引き出しレール３ａ上に載置された状態となるような位置に取り付けられることが望ましい。
【００４３】
また、この例においては、開口部９の上部の開放部分９ａを閉塞するために、絶縁性パネル２１の上端には、遮断器収容室６側へ回動する天板３７が蝶番３８によって回動可能に取り付けられている。
なお、ケーブルを通す切り欠き２１ａは、スイッチギヤに応じて適宜変更された位置に形成されているが、他の構成は、前記構成例と同様であるので、同一箇所に同一符号を付して説明を省略する。
【００４４】
このような構成においては、遮断器収容室６の開口部９に絶縁バリア２０を取り付けるには、先ず、掛止用アーム部材３５を開口部９の上部に両側縁部間を渡すように固定し、また、固定用アーム部材２７を開口部９の中間部または下部に両側縁部間を渡すように固定し、リング部材２８ａを前方へ向けた状態とする。
【００４５】
この際、掛止用アーム部材３５や固定用アーム部材２７の筒状体（大径筒状体３５ａ，２７ａ、小径筒状体３５ｂ，２７ｂ）が、両端の押圧部に対して偏心して形成されている場合には、掛止用アーム部材３５にあっては、図８（ａ）に示されるように、筒状体（大径筒状体３５ａ、小径筒状体３５ｂ）が前面側に偏心するように取り付けて絶縁性パネル２１の掛止具３６が係止し易いようにし、また、固定用アーム部材２７にあっては、図８（ｂ）に示されるように、筒状体（大径筒状体２７ａ、小径筒状体２７ｂ）が遮断器収容室側に偏心するように取り付けてリング部材２８ａが固定されているプレート２８ｂによって絶縁性パネル２１が開口部９の端面（両側縁部）から離れてしまう（絶縁性パネル２１と開口部９との間に隙間が形成されてしまう）不都合を避けるようにしている。
【００４６】
その後、掛止具３６が取り付けられた絶縁性パネル２１を開口部９の前面に近づけ、掛止具３６を掛止用アーム部材３５に掛止させ、開口部９の前面全体を絶縁性パネル２１で覆い（閉塞し）、また、天板３７を遮断器収容室側に倒して開口部９の上部の開放部分９ａを閉塞する。
その後、リング部材２８ａを絶縁性パネル２１の通孔２９に挿通させ、前方へ突出したリング部材２８ａに錠前３０を取り付けて施錠すれば、絶縁性パネル２１の取り付け状態が固定される。
【００４７】
このような変形例においても、前記構成と同様の作用効果が得られるほか、天板３７によって開口部の上部に形成されている開放部分も閉塞することができるので、開口部の上方から誤って手を差し入れることを防ぐことが可能となる。
【００４８】
なお、このような構成においては、掛止用アーム部材３５の取り付け位置を調節することで、絶縁性パネル２１の下端に隙間が形成されないようにすることが可能であるが、図９に示されるように、図６で示す絶縁性パネル２１の下端部に、さらに下方へ移動させることが可能な図５と同様の垂下板３１を設け、絶縁性パネル２１の下方に隙間が形成される場合にその隙間を閉塞できるようにしてもよい。
【実施例２】
【００４９】
図１０及び図１１に他の実施形態が示されている。
この例においては、遮断器収容室６の開口部９が幅広に形成されている場合に対応できる絶縁バリア２０を提供するもので、開口部９に設けられた枠体２３に掛止させる場合の構成例について説明する。
【００５０】
前記固定用アーム部材２７には、開口部９の一部を閉塞する所定巾の一体型パネル４１が予め固定されている。一体型パネル４１は、ポリカーボネートなどの硬質透明の樹脂板で形成され、その上縁部に、枠体２３の上縁部に対して掛止可能な図３と同様の掛止具２４が設けられている。
【００５１】
固定用アーム部材２７は、前記構成例と同様、大径筒状体２７ａの内側に小径筒状体２７ｂを摺動可能に挿入して構成された伸縮可能な突っ張り棒で構成されているもので、一体型パネル４１の裏面に対して、Ｕ字金具４２ａとこれを取り付ける取り付け板４２ｂとによって幅方向に固定されている。
【００５２】
そして、固定用アーム部材２７の小径筒状体２７ｂに前記リング部材２８ａが固定されている（小径筒状体２７ｂの端部（押圧部２７ｄ）から所定の長さだけ一体型パネル側に寄った部位に固定されている）。絶縁性パネル２１は、一体型パネル４１と一部を重ね合わせるように取り付けられ、開口部９の一体型パネル４１で覆い切れなかった部分を閉塞するように一体型パネル４１との重なり代を調節し、その状態でリング部材を絶縁性パネル２１の通孔２９に挿通させ、前面側へ突出したリング部材２８ａに錠前３０を取り付けるようにしている。
なお、他の構成は前記構成例と同様であるので、同一箇所には同一符号を付して説明を省略する。
【００５３】
したがって、このような構成においては、開口部９の枠体２３の上縁部２３ａに一体型パネル４１の掛止具２４を係止させると共に固定用アーム部材２７を長さ調整しつつ（小径筒状体２７ｂの突出量を調整しつつ）開口部９の両側縁を渡すように固定する。そして、開口部９の一体型パネル４１で覆われていない部分を閉塞するように絶縁性パネル２１を枠体２３の上縁部２３ａに係止させ、その状態を維持するためにリング部材２８ａを絶縁性パネル２１の通孔２９に挿通させて錠前３０によって施錠する。
【００５４】
このため、開口部９の横幅が広い場合であっても、固定用アーム部材２７の長さを調節して（一体型パネル４１と絶縁性パネル２１とが重なる部分の幅を調節して）開口部全体を閉塞することができるので、開口部９の幅に変動があっても対応することが可能となる。
【００５５】
なお、このような構成においても、一体型パネル４１や絶縁性パネル２１の下部に、さらに下方へ移動させることが可能な前記と同様の垂下板を設けるようにしてもよい。
【００５６】
また、上述の例では、掛止具２４を開口部９の枠体２３の上縁部２３ａに対して掛止する構成例を示したが、開口部９の上部に枠体が無い場合においては、開口部９の上部に水平方向に開口部９の両側縁部に着脱可能に前記掛止用アーム部材３５を設け、この掛止用アーム部材３５に対して掛止具を掛止させて同様の構成とすることも可能である。
【符号の説明】
【００５７】
１  スイッチギヤ
４  筺体
６  遮断器収容室
９  開口部
１１  引出型遮断器
１５  固定接触端子
１６  可動接触端子
２１  絶縁性パネル
２２  固定手段
２３  枠体
２３ａ  上縁部
２４  掛止具
２７  固定用アーム部材
２８ａ  リング部材
２９  通孔
３０  錠前
３１  垂下板
３５  掛止用アーム部材
３６  掛止具
４１  一体型パネル
【図１】
0006434831.tif 000002
【図２】
0006434831.tif 000003
【図３】
0006434831.tif 000004
【図４】
0006434831.tif 000005
【図５】
0006434831.tif 000006
【図６】
0006434831.tif 000007
【図７】
0006434831.tif 000008
【図８】
0006434831.tif 000009
【図９】
0006434831.tif 000010
【図１０】
0006434831.tif 000011
【図１１】
0006434831.tif 000012